(57)【特許請求の範囲】
【請求項１】
外装部の表面であって、装填と引出とが操作可能な第１の操作部に隣接して配置され、前面に開閉用の蓋を有する第２の操作部を備えた金銭処理機において、
前記蓋は、
一の方向への付勢力によって位置する第１の位置と前記付勢力に抗する方向に外力を受けて、装填時における前記第１の操作部と干渉する第２の位置との間で移動可能な作用部を備えた操作部材と、
前記一の方向と同一方向に付勢されて移動可能にされると共に、前記操作部材が前記第２の位置側に移動するとき前記操作部材と係合して移動させられ、かつ前記操作部材が前記第１の位置にあるときロック位置にあり、前記操作部材が前記第２の位置にあるときロック解除位置にあるロック部材とを備え、
前記外装部は、前記蓋に対して施錠と解錠とを行う係合部を備え、
前記ロック部材は、前記ロック位置で前記係合部に対して施錠され、前記ロック解除位置で前記係合部に対して解錠されるロック爪部を備え、
前記操作部材は、前記蓋の一部の開口から露出する基端部を有し、前記基端部を前記一の方向と反対の方向に押し込むことで、前記第２の位置に移動可能にされていることを特徴とする金銭処理機。
【請求項２】
前記第１の操作部は硬貨投入口部であり、前記第２の操作部はコード表示部であることを特徴とする請求項１に記載の金銭処理機。
【請求項３】
前記ロック爪部及び前記係合部の一方は、互いに摺接する部位がテーパ状に形成されていることを特徴とする請求項１又は２に記載の金銭処理機。
【発明の詳細な説明】
【技術分野】
【０００１】
本発明は、利用者によって操作されるセルフ店等に設置される金銭処理機に関する。
【背景技術】
【０００２】
近年、セルフの店舗、例えばセルフのガソリンスタンド等が普及している。かかる店舗では、顧客自身が給油操作、及び金銭処理機を介して支払い操作を行う。この種の金銭処理機は、内部に金銭が収容される容器と接客用の外装部を表面に有する防盗扉とを備えている。顧客は、防盗扉が閉じられた状態で操作部を介して支払い等の操作を行う。一方、例えば金銭詰まり等へのエラー対応や金銭の回収、補充は店員によって行われるが、その場合、防盗扉が開けられたまま作業が行われる。防盗扉が開けられると、機器の動作モード等を報知するコード表示部や金銭収容部が見える状態となり、保安乃至は安全性が損われる虞がある。そこで、コード表示部を外装部に設けると共に、鍵付きで蓋を被せるようにすることが考えられる。かかる構造を採用すれば、安全性を高く維持できる。しかしながら、外装部には、既に接客用の各種操作部が配置されているため、サイズ的には硬貨投入口部の真横にコード表示部を配置し得るものの、専用の鍵穴部を別途設けるほどのスペース的余裕がないことから、更なる工夫を要する。
【０００３】
特許文献１には、筐体内を隔板で上下に仕切って、重要な部材を収容するための上扉と、遊技構造物等を収容するための下扉とを設けた遊技機が記載されている。この遊技機は、上扉を開閉するための鍵穴部を設けると共に、下扉を閉じたときに、この鍵穴部が下扉で覆われるようにした、いわゆる二重ロック構造を備えている。
【先行技術文献】
【特許文献】
【０００４】
【特許文献１】特開２００９−１３６６３０号公報
【発明の概要】
【発明が解決しようとする課題】
【０００５】
硬貨投入口部は、硬貨を１枚ずつ投入するスリットを備える一方、硬貨一括投入モードでは硬貨投入口部を引き出して、いわゆる開放可能に構成されていることから、硬貨投入口部を引き出したときに露出する箇所に、コード表示部の蓋の鍵穴部を設けることが考えられる。すなわち、特許文献１に記載の二重ロック構造のように、硬貨投入口部が開成されたときに、コード表示部の蓋を開閉する鍵穴が露出するように配置する態様が考えられる。しかしながら、露出した位置に鍵穴を設けることは配置的に、また操作上も容易ではなく、さらに硬貨投入口部の開閉を行う専用の鍵穴部に加えて、コード表示部の蓋を開閉する鍵穴部を設けることはいたずらに構成の複雑化を招く。
【０００６】
本発明は、上記に鑑みてなされたもので、隣接する操作部の開放を受けて露出することで手動のロック部材の移動規制を解除する簡易なロック構造を備えた金銭処理機を提供することを目的とする。
【課題を解決するための手段】
【０００７】
本発明は、外装部の表面であって、装填と引出とが操作可能な第１の操作部に隣接して配置され、前面に開閉用の蓋を有する第２の操作部を備えた金銭処理機において、前記蓋は、一の方向への付勢力によって位置する第１の位置と前記付勢力に抗する方向に外力を受けて、装填時における前記第１の操作部と干渉する第２の位置との間で移動可能な作用部を備えた操作部材と、前記一の方向と同一方向に付勢されて移動可能にされると共に、前記操作部材が前記第２の位置側に移動するとき前記操作部材と係合して移動させられ、かつ前記操作部材が前記第１の位置にあるときロック位置にあり、前記操作部材が前記第２の位置にあるときロック解除位置にあるロック部材とを備え、前記外装部は、前記蓋に対して施錠と解錠とを行う係合部を備え、前記ロック部材は、前記ロック位置で前記係合部に対して施錠され、前記ロック解除位置で前記係合部に対して解錠されるロック爪部を有することを特徴とするものである。
【０００８】
本発明によれば、外力を作用させて操作部材を第１の位置から第２の位置に移動させる場合、第１の操作部が装填されている状態では操作部材の作用部が第１の操作部と干渉し、第２の位置への移動が規制される。従って、ロック部材がロック解除位置に移動できず、蓋は解錠が規制される。一方、第１の操作部材が引き出された状態では、操作部材の作用部は第１の操作部と干渉しないため、第２の位置への移動が許可される。従って、ロック部材がロック解除位置に移動できるため、蓋は解錠が許可される。このように、第１の操作部が引き出された場合にのみ、第２の操作部の蓋を開閉する（解錠する）ことができるので、専用の鍵を付設することなく、ロック部材の移動規制を簡易な機構で解除可能にして保安性乃至は安全性を確保する。
【０００９】
また、前記操作部材は、前記蓋の一部の開口から露出する基端部を有し、前記基端部を第１の方向と反対に方向に押し込むことで、第２の位置に移動可能にされていることを特徴とする。この構成によれば、蓋の一部の開口に露出した基端部を押し込む操作で解錠状態に移行させることが可能となる。
【００１０】
また、前記第１の操作部は硬貨投入口部であり、前記第２の操作部はコード表示部であることを特徴とする。この構成によれば、機器の現状況の情報が不用意に漏れることが防止される。
【００１１】
また、前記ロック爪部及び前記係合部の一方は、互いに摺接する部位がテーパ状に形成されていることを特徴とする。この構成によれば、蓋を閉じる方向への簡単な操作のみで蓋を閉じることが可能となる。
【発明の効果】
【００１２】
本発明によれば、手動のロック部材の移動規制を解除する簡易なロック構造を備えることができる。
【図面の簡単な説明】
【００１３】
【図１】本発明に係る金銭処理機の外観構成を説明する外観図である。
【図２】金銭処理機の外装部の外観構成を説明する外観図である。
【図３】硬貨投入口部の構成を示すもので、開放途中における外観図である。
【図４】硬貨投入口部の構成を示すもので、開放状態における外観図である。
【図５】第１実施形態に係るコード表示部の蓋の開放状態における外観図である。
【図６】第１実施形態に係るコード表示部の蓋の内側から見たロック機構部の斜視図である。
【図７】第１実施形態に係るコード表示部の蓋の内側から見たロック機構部を半透明で示した状態の斜視図である。
【図８】蓋のロックとロック解除との手順を説明する動作図である。
【発明を実施するための形態】
【００１４】
図１において、金銭処理機１２は、セルフ店やセルフ用として適宜設置され、顧客自身によって金銭支払い処理に供するもので、前面に接客用の外装部１０と、その後部の容器１１とで構成されている。外装部１０は、料金精算として顧客が操作可能なように、紙幣、硬貨の投入操作やお釣りとして払い出された紙幣、硬貨の取り出し操作を行うための各部を備えている。例えば、金銭処理機１２が、セルフのガソリンスタンドに設置されている態様では、顧客自身によって給油操作されたガソリン給油量に応じた料金を計算し、その額を報知する。次いで、顧客から紙幣及び硬貨の投入を検知すると、投入金額を識別して、精算処理し、お釣りがある場合、お釣りの払い出しを行う。あるいは、先に必要な金額の支払いを受けて、その金額に応じた給油量を提供する態様でもよい。また、外装部１０は、店員（管理者）が行う各種の作業に供する、後述の構成部を備えている。
【００１５】
容器１１は、一般的であるので詳細な説明は省略するが、内部には紙幣処理部及び硬貨処理部を備えている。すなわち、容器１１は、紙幣や硬貨を金種別に振り分ける振り分け部、それらを収容する収容部、紙幣や硬貨の受領、払出しのための機構部を備えると共に、精算処理及び前記機構部の制御を行う制御部を備えている。
【００１６】
図２に示すように、外装部１０は、所定形状、例えば正面視で長方形を有する扉部等の本体フレーム１を備えている。本体フレーム１は所定サイズを有し、その正面側には、紙幣投入・払出口部２、硬貨投入口部３、硬貨払出トレイ部４、一括排出部５、コード表示部６及びインターホン部７が配設されている。なお、容器１１を挟んで他面側にも同様の外装部１０’を備えてもよい。
【００１７】
紙幣投入・払出口部２は、紙幣投入口２１と紙幣払出口２２とが隣接して、例えば上下に配設されている。紙幣投入口２１は、差し込まれた紙幣を容器１１の前述した紙幣処理部に搬入して収容するものであり、紙幣払出口２２は、その紙幣処理部からお釣りとしての紙幣を搬出して払い出すものである。
【００１８】
本体フレーム１の右上部には硬貨投入口部３を装填する空間である装填部１Ａ（図３参照）が形成され、その後部側には開口部３０（図３参照）が形成されている。硬貨投入口部３は、この装填部１Ａで回動可能に支持されることで本体フレーム１に対して装填及び引出操作可能にされている。硬貨投入口部３は、正面部３１を備え、正面部３１には、下部側に装填及び引出操作のための回動支持部３２、中央の半球状の凹部３３及び適所の鍵穴部３４を有する。凹部３３の底部には硬貨が投入可能なスリットが穿設されている。なお、図では示していないが、硬貨投入口部３の下方には、投入された硬貨を公知のように金種鑑別して金種毎に収容する硬貨処理部が備えられている。硬貨投入口部３の詳細は後述する。
【００１９】
硬貨払出トレイ部４は、容器１１内の硬貨収容部と連通しており、お釣りとしての硬貨が払い出される。お釣り硬貨の払出し処理は、公知のように容器１１内の硬貨処理部によって行われ、お釣りの払出しがある場合には、例えば金種毎に割り振られた硬貨収容部からお釣りとしての硬貨が金種毎に選択されて搬出され、硬貨払出トレイ部４に払い出される。
【００２０】
一括排出部５は、硬貨払出トレイ部４の底部に一部構成を利用して設けられている。硬貨払出トレイ部４の底部中央には、所定形状、例えば長方形状をした開口５０Ａが穿設されており、営業終了時に開口５０Ａを開放して硬貨収容部の硬貨を一括で排出（回収）する。
【００２１】
コード表示部６は、金銭処理機１２の各種の状態（例えば硬貨詰まり等の異常状態など）をコード情報で表示するもので、通常は蓋６１（図５参照）で閉ざされている。蓋６１の詳細は後述する。インターホン部７は、操作方法が分からないなどの顧客によってボタン７１が押されると、有線又は無線を介して店員に通報して、店員に説明を求めたり、呼び出したりするものである。
【００２２】
次に図３、図４を参照して、硬貨投入口部３を説明する。まず図４に示すように、回動支持部３２は、装填部１Ａの下部となる本体フレーム１に設けられた左右一対の軸受３２１と、硬貨投入口部３の下部に設けられた軸３２２とを備え、軸３２２が軸受３２１周りに回動可能に軸支されている。硬貨投入口部３は、図３、図４に示すように、正面部３１の裏側に硬貨投入用の各部材乃至は補強用の左右の側壁部３１１を備えている。硬貨投入口部３は、軸受３２１周りに回動することで、上端位置では装填部１Ａに装填された状態とされ、下端位置では全開放（引出）された状態とされる。硬貨投入口部３は通常は装填状態にあって、鍵穴部３４に図略の鍵を差し込んで、例えばロック部３４１をキーロック（ロック状態）にして、１枚ずつの硬貨の投入を受け付ける。一方、硬貨の補充を行う場合、鍵を鍵穴部３４に差し込んで、キーロックの解除操作を行い、次いで解除状態で、硬貨投入口部３を手前側に引き出すように、すなわち図３さらには図４のように全開放位置まで回動させる。図４の状態では、補充用の硬貨が開口部３０から一気に投入可能となる。投入された硬貨は、公知のように金種毎に鑑別されて硬貨処理部に収容される。なお、鍵穴部３４は一般的な鍵を採用する態様の他、小型の専用鍵を採用し、省スペース化に適した小型の鍵穴とすることが好ましい。
【００２３】
装填部１Ａの左側（図３、図４参照）には、仕切り壁１Ｂを介してコード表示部６が配置されている。コード表示部６は、本体フレーム１内に専用のキャビネット６０（図５参照）を有し、その前部を蓋６１で開閉するようになっている。キャビネット６０には、公知のように、コード表示用のＬＥＤ６０１が左右に配列され、その下部に対応するコード内容が表記された表記部６０２が設けられている。機器の動作モードや動作状態に応じたＬＥＤ６０１が点灯する。店員は、点灯したＬＥＤ６０１に対応するコード内容を参照して現状を認識し、対応する処置や作業を実行する。
【００２４】
図５に示すように、本体フレーム１のうちのキャビネット６０の左右両側となる位置には、蓋６１を支持し、また開閉するための各部材が設けられている。すなわち、キャビネット６０の右側には蓋６１を支持する支持軸６Ａが垂直に取付けられ、一方、左側には蓋６１の施錠、解錠用として機能する側壁６Ｂが立設されている。側壁６Ｂの中央には係合孔６１Ｂが形成されている。なお、支持軸６Ａ，側壁６Ｂは、外装部１０の本体フレーム１に設けられているとしてもよい。
【００２５】
蓋６１は、図５〜図７に示すように、キャビネット６０の開口形状に対応する長方形をした、不透明な蓋盤６１０を備えている。蓋盤６１０の左右一方側には上下一対の軸受６２が設けられており、この軸受６２に、支持軸６Ａが軸支されて、蓋盤６１０が支持軸６Ａ周りに回動可能になっている。
【００２６】
蓋盤６１０は、軸受６２の反対側の立設された側壁６３を有すると共に、側壁６３と関わる長尺の操作部材６４、及び操作部材６４と関わるロック部材６６を備えている。なお、図では見えていないが、蓋盤６１０の適所であって、操作部材６４の先端６４ｂ側が露出する位置には、露出可能な所要寸法、厚みを有する切欠が形成されている。
【００２７】
側壁６３の適所には開口６３１が穿設されている。開口６３１は、操作部材６４の基端部６４ａを嵌合するものである。
【００２８】
操作部材６４は、長尺本体の基端に基端部６４ａを、先端に先端部６４ｂを有し、さらに、長尺方向の途中に長尺方向に長い長孔６４１、及び長尺方向と直交する方向に突出した係合部６４２を有する。基端部６４ａは外部から操作可能に配置されて、操作部位として機能し、先端部６４ｂは作用部位として機能する。蓋盤６１０の適所であって、操作部材６４の長孔６４１と対向する位置には長孔６４１を貫通するピン６１１が立設されている。また、蓋盤６１０には適所にリブが立設されて、操作部材６４の上下をガイドすることで左右方向への円滑な移動を確保している。操作部材６４は、ピン６１１によって長孔６４１の寸法分だけ左右方向に移動可能に構成され、図６に示すように右側に移動した状態（第１の位置）では、基端側６４ａが側壁６３の開口６３１とほぼ面一となり、かつ先端部６４ｂが蓋盤６１０の左端から殆ど（硬貨投入口部３を閉じた状態で側壁部３１１に当接しない寸法分しか）露出せず、一方、左側に移動した状態（第２の位置）では、後述するように、係合部６４２を介してロック部材６６を解錠する。
【００２９】
操作部材６４は、図７に示すように、蓋盤６１０のピン６１１との間に付勢部材、例えばバネ６５が掛けられており、このバネ６５によって常時基端側（図７の右方向）に付勢されている。
【００３０】
ロック部材６６は、長尺本体の基端にロック爪部６６ａを有し、さらに、長尺方向の途中に係合部６４２と当接する係合部６６１、及び長尺方向の途中に長尺方向に長い長孔６６２を有する。蓋盤６１０の適所であって、ロック部材６６の長孔６６２と対向する位置には長孔６６２を貫通するピン６１２が立設されている。なお、操作部材６４と同様、蓋盤６１０の適所のリブによるガイドによってロック部材６６の左右方向への円滑な移動を確保している。ロック部材６６は、ピン６１２によって長孔６６２の寸法分だけ左右方向に移動可能に構成され、図６に示すように右側に移動した状態（ロック位置）では、ロック爪部６６ａが側壁６Ｂの係合孔６１Ｂに嵌合可能な位置まで達し、すなわち施錠可能な状態となり、一方、左側に移動した状態（ロック解除位置）では、ロック爪部６６ａが側壁６Ｂの係合孔６１Ｂから外れ、すなわち蓋６１が解錠可能な状態となる。
【００３１】
ロック部材６６は、図７に示すように、係止部６６ｂと蓋盤６１０のピン６１２との間に付勢部材、例えばバネ６７が掛けられており、このバネ６７によって常時ロック爪部６６ａ側（図７の右方向）に付勢されている。また、ロック部材６６のロック爪部６６ａは、先端側がテーパ状に屈曲されている（図８参照）。従って、ロック爪部６６ａが右端に達している状態で、蓋６１が軸受６２周りに閉じられる方向に回動されると、ロック部材６６は、側壁６Ｂに当接して、バネ６７の付勢力に抗して押し戻されつつ、最終的に係合孔６１Ｂに嵌り込む。
【００３２】
図８を参照して、ロック部材６６の動きを説明する。まず施錠から説明すると、図８（ａ）において、蓋６１が閉じられる方向に回動され、すなわちロック部材６６が側壁６Ｂに当接する方向に回動する（図では説明の便宜上、上方向への移動で示している）。このときは、ロック部材６６はバネ６７によって基端側に達している。次いで、図８（ｂ）で、ロック部材６６の回動によってロック爪部６６ａが側壁６Ｂに当接する。この時点から、さらに蓋６１が回動されると、図８（ｃ）のように、ロック部材６６は、バネ６７の付勢力に抗して矢印Ｘで示す方向に押し戻されながら回動する。すなわち、ロック部材６６は操作部材６４の係合部６４２によって基端方向へのみ付勢することから、ロック部材６６は、付勢方向と反対方向に移動することが可能である。
【００３３】
さらに、蓋６１が回動されてロック爪部６６ａが側壁６ｂを乗り越えて係合孔６１Ｂまで臨むと、図８（ｄ）のように、ロック爪部６６ａはバネ６７の付勢力によって係合孔６１Ｂに嵌り込む。この状態で、蓋６１は施錠された状態となる。
【００３４】
後に、蓋６１を開放する場合、硬貨投入口部３が開放され、操作部材６４の基端部６４ａが押し込まれて、係合部６４２が係合部６６１と係合して、図８（ｅ）のように、ロック部材６６を押し込むことで、側壁６Ｂの係合孔６１Ｂから外れて、解錠可能な状態となる。
【００３５】
なお、ロック爪部６６ａをテーパ状とせず、蓋６１を閉じる際にロック爪部６６ａの先端と摺接する側壁６Ｂの部位をテーパ状に屈曲形成してもよい。
【００３６】
また、第１実施形態では、操作部材６４の操作として、基端部６４ａを先端側に押し込む、いわゆるスライド式としたが、第２実施形態として、スライド式に代えて回動式を採用してもよい。例えば、長尺の操作部材６４を中間の回動軸で回動可能に軸支し、蓋６１の開放状態において、基端部６４ａに相当する部位を回動方向に操作することで先端部６４ｂに相当する部位が仕切り壁１Ｂから装填部１Ａ内に露出するようにし、蓋６１の閉成状態では、側壁部３１１に当たって回動しない構成としてもよい。
【００３７】
また、第１実施形態では、隣接する硬貨投入口部３側に蓋６１の開閉軸となる軸受６２を設けたが、第３実施形態として、左右の反対側に軸受を設けるように構成してもよい。例えば、蓋６１及び側壁６Ｂを左右反対側に構成し、操作部材６４の基端部６４ａを装填部１Ａ側から押し込むようにしてもよい。
【００３８】
また、前記実施形態では、硬貨投入口部３を第１の操作部とし、コード表示部６を第２の操作部としたが、第１の操作部は、硬貨投入口部３に限定されず、装填と引出、乃至は挿着脱可能な構成を少なくとも備え、かつ装填時に操作部材の先端部６４ｂ（作用部）が干渉して押し込めない態様を備えていればよい。また、第１の操作部は鍵穴部を必ずしも備えていなくてもよい。さらに、第２の操作部は、コード表示部に限定されず、少なくとも開閉可能な蓋構造を備えていればよい。
【００３９】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００４０】
１２  金銭処理機
１０  外装部
３  硬貨投入口部（第１の操作部材）
６  コード表示部（第２の操作部材）
６１  蓋
６２  軸受
６３  側壁
６３１  開口
６４  操作部材
６４ａ  基端部
６４ｂ  先端部（作用部）
６５，６７  バネ
６６  ロック部材
６６ａ  ロック爪部
６Ｂ  側壁
６１Ｂ  係合孔（係合部）
【図１】
0006527769.tif 000002
【図２】
0006527769.tif 000003
【図３】
0006527769.tif 000004
【図４】
0006527769.tif 000005
【図５】
0006527769.tif 000006
【図６】
0006527769.tif 000007
【図７】
0006527769.tif 000008
【図８】
0006527769.tif 000009